(57)【要約】【課題】表示部と操作部材との一体感を有する電子機器を提供する。【解決手段】携帯電話機１は、筐体開口２ｈを有する第１筐体２と、第１筐体２内に設けられ、筐体開口２ｈに対向する表示面２９ａを有するサブ表示装置２９と、筐体開口２ｈと表示面２９ａとの間に、表示面２９ａを筐体開口２ｈ側へ露出させるように配置されたセンサ基板３９と、センサ基板３９のうち筐体開口２ｈに対向する面に設けられたタッチセンサ電極４７と、筐体開口２ｈに配置され、表示面２９ａに対向する透光部５９ａ、及び、透光部５９ａの外周に設けられ、タッチセンサ電極４７に対向する環状の操作部７ａを有する一体的操作部材５９とを有する。【選択図】図３
2008136046.tif 000002
【特許請求の範囲】
【請求項１】
ケース開口を有するケースと、
前記ケース内に設けられ、前記ケース開口に対向する表示面を有する表示装置と、
前記ケース開口と前記表示面との間に配置され、前記表示面に対向する空所が形成された回路基板と、
前記回路基板のうち前記ケース開口に対向する面に設けられたタッチセンサ電極と、
前記ケース開口に配置され、前記表示面に対向する透光部、及び、前記透光部の外周に設けられ、前記タッチセンサ電極に対向する環状の操作部を有する操作部材と、
を有する電子機器。
【請求項２】
前記操作部材は、
前記表示面に対向する操作部材開口が形成された前記操作部としての遮光部材と、
前記操作部材開口を塞ぐように前記遮光部材に固定された前記透光部としての透光部材と、
を有する請求項１に記載の電子機器。
【請求項３】
前記操作部材の前記ケース内部側の面に固定され、前記表示面に対向するシート開口が形成されたシート部材を有し、
前記ケースは、
前記ケース開口が開口する部分の内側面を構成する第１ケース部材と、
前記ケース開口が開口する部分の外側面を構成する第２ケース部材と、
を有し、
前記シート部材は、前記操作部材の外縁から延出し、前記ケース開口の周囲において前記第１ケース部材と前記第２ケース部材とに挟持される環状の被挟持部を有する
請求項１又は２に記載の電子機器。
【請求項４】
前記シート部材は、前記シート開口の周囲において前記表示面に当接する環状の当接部を有している
請求項３に記載の電子機器。
【請求項５】
前記回路基板は、前記操作部に対向する面にタクトスイッチを備え、
前記シート部材は、前記操作部と前記タクトスイッチとの間に突状の押し子を有する
請求項３又は４に記載の電子機器。
【請求項６】
複数の前記タクトスイッチの間に前記タッチセンサ電極が設けられている
請求項５に記載の電子機器。
【請求項７】
複数の前記タクトスイッチ及び複数の前記タッチセンサ電極が前記透光部を囲むように配置されている
請求項６に記載の電子機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、携帯音楽プレーヤー、デジタルカメラ、ノートパソコン、プリンタなどの電子機器に関する。
【背景技術】
【０００２】
特許文献１では、表示部の周囲に操作ボタンを配置した技術が開示されている。表示部は、ケースに設けられた表示部用の開口から露出し、操作ボタンは、ケースに設けられた操作ボタン用の開口から露出している。
【特許文献１】特開２００５−７９６０７号公報
【発明の開示】
【発明が解決しようとする課題】
【０００３】
特許文献１の技術では、表示部と操作ボタンとはそれぞれ別々の開口から露出していることから、表示部と操作ボタンとの一体感がない。
【０００４】
本発明の目的は、表示部等の透光窓と操作部材との一体感を有する電子機器を提供することにある。
【課題を解決するための手段】
【０００５】
本発明の電子機器は、ケース開口を有するケースと、前記ケース内に設けられ、前記ケース開口に対向する表示面を有する表示装置と、前記ケース開口と前記表示面との間に配置され、前記表示面に対向する空所が形成された回路基板と、前記回路基板のうち前記ケース開口に対向する面に設けられたタッチセンサ電極と、前記ケース開口に配置され、前記表示面に対向する透光部、及び、前記透光部の外周に設けられ、前記タッチセンサ電極に対向する環状の操作部を有する操作部材と、を有する。
【０００６】
好適には、前記操作部材は、前記表示面に対向する操作部材開口が形成された前記操作部としての遮光部材と、前記操作部材開口を塞ぐように前記遮光部材に固定された前記透光部としての透光部材と、を有する。
【０００７】
好適には、前記操作部材の前記ケース内部側の面に固定され、前記表示面に対向するシート開口が形成されたシート部材を有し、前記ケースは、前記ケース開口が開口する部分の内側面を構成する第１ケース部材と、前記ケース開口が開口する部分の外側面を構成する第２ケース部材と、を有し、前記シート部材は、前記操作部材の外縁から延出し、前記ケース開口の周囲において前記第１ケース部材と前記第２ケース部材とに挟持される環状の被挟持部を有する。
【０００８】
好適には、前記シート部材は、前記シート開口の周囲において前記表示面に当接する環状の当接部を有している。
【０００９】
好適には、前記回路基板は、前記操作部に対向する面にタクトスイッチを備え、前記シート部材は、前記操作部と前記タクトスイッチとの間に突状の押し子を有する。
【００１０】
好適には、複数の前記タクトスイッチの間に前記タッチセンサ電極が設けられている。
【００１１】
好適には、複数の前記タクトスイッチ及び複数の前記タッチセンサ電極が前記透光部を囲むように配置されている。
【発明の効果】
【００１２】
本発明によれば、表示部等の透光窓と操作部材との一体感を有する電子機器を提供できる。
【発明を実施するための最良の形態】
【００１３】
図１は、本発明の実施形態に係る電子機器としての携帯電話機１の外観を示す斜視図であり、図１（ａ）は開状態を示す斜視図、図１（ｂ）は閉状態を示す斜視図である。
【００１４】
携帯電話機１は、いわゆる折り畳み式の携帯電話機として構成されており、開状態と閉状態との間で互いに回動可能に連結された第１筐体２及び第２筐体３を備えている。
【００１５】
第１筐体２及び第２筐体３は、それぞれの端部が回動の中心となる連結部４により連結されることにより携帯電話機１全体の筐体を構成するようになっている。第１筐体２及び第２筐体３は、それぞれ概ね薄型直方体状に形成されており、閉状態では互いに重ねあわされて互いの輪郭が略一致する。
【００１６】
第１筐体２は、閉状態において第２筐体３と対向する対向面２ａ及びその背面となる背面２ｂとを有している。第１筐体２には、例えば、対向面２ａに開口する不図示の放音口から放音する通話用のスピーカ１０７（図８参照）、対向面２ａに絵や文字等の画像を表示するメイン表示部６（図６参照）、背面２ｂに絵や文字等の画像を表示するサブ表示部５、背面２ｂから露出し、ユーザの操作を受け付けるリングキー７、背面２ｂから撮像する撮像部９、背面２ｂ側を照明するフラッシュ１１が設けられている。
【００１７】
背面２ｂには筐体開口２ｈが形成されている。リングキー７は筐体開口２ｈから露出している。筐体開口２ｈの形状は、例えば円形である。サブ表示部５は、リングキー７の内側から露出している。
【００１８】
第２筐体３は、閉状態において第１筐体２と対向する対向面３ａ及びその背面となる背面３ｂとを有している。第２筐体３には、例えば、対向面３ａに開口する不図示の収音口から収音する通話用のマイクロフォン１０８（図８参照）、電波を利用した無線通信を行うための送受信用の内蔵アンテナ１０５（図８参照）、対向面３ａに配列され、ユーザの操作を受け付ける不図示のダイヤルキーが設けられている。
【００１９】
図２及び図３は、第１筐体２の分解斜視図である。図２及び図３の紙面上方側が背面２ｂ側であり、紙面下方側が対向面２ａ側である。
【００２０】
第１筐体２は、対向面２ａを構成するフロントケース２１と、フロントケース２１との間に種々の電子部品等を収納するようにフロントケース２１と固定されるリアケース２３と、リアケース２３に被せられて背面２ｂを構成する装飾パネル２５とを有している。
【００２１】
図２に示すように、フロントケース２１と、リアケース２３との間には、フロントケース２１側から、メイン表示装置４９、表示用基板２７、サブ表示装置２９、補強フレーム３１、両面テープ３７、センサ基板３９が順に積層的に（厳密には一部並列に）配置されている。
【００２２】
図２及び図３に示すように、リアケース２３と装飾パネル２５との間には、キーシート４１、リングキー７、トリムプレート３５（透光部材）が積層的に一体化されて配置されている。なお、以下において、トリムプレート３５とリングキー７とを互いに固定したものを、一体的操作部材５９ということがある。サブ表示装置２９及びトリムプレート３５は、サブ表示部５を構成している。
【００２３】
フロントケース２１、リアケース２３及び装飾パネル２５は、例えば樹脂により形成されている。フロントケース２１とリアケース２３とは、例えば、一方に設けられた不図示のネジボスに他方に挿通された不図示のネジが螺合されることにより互いに固定される。フロントケース２１とリアケース２３とが互いに固定されることにより、メイン表示装置４９、表示用基板２７、サブ表示装置２９、補強フレーム３１及びセンサ基板３９は、互いに積層された状態（厳密には一部並列に配置された状態）で、フロントケース２１とリアケース２３に挟持され、第１筐体２に固定される。
【００２４】
リアケース２３は、背面と背面の周囲を囲む傾斜した側面とを有する概ね箱体状に形成されている。リアケース２３の背面側には、装飾パネル２５が嵌合するパネル用凹部２３ａが形成されている。パネル用凹部２３ａの深さは、例えば装飾パネル２５の厚さと同等である。パネル用凹部２３ａの底部には、キーシート４１が嵌合するシート用凹部２３ｂが形成されている。シート用凹部２３ｂの深さは、例えばキーシート４１の厚さと同等である。シート用凹部２３ｂの底部には、サブ表示装置２９の表示面２９ａを露出させるためのリアケース開口２３ｈが形成されている。リアケース開口２３ｈは例えば円形である。また、シート用凹部２３ｂの底部のうちリアケース開口２３ｈの周囲には、キーシート４１側に突出する位置決め突部２３ｃが複数形成されている。
【００２５】
装飾パネル２５は、例えばリアケース２３の背面全体及び連結部４と反対側端部（図２の紙面左側）の側面を覆う大きさ、形状に形成されている。装飾パネル２５には、例えばフロントケース２１やリアケース２３とは異なる色や模様が付されている。装飾パネル２５には、サブ表示装置２９の表示面２９ａを露出させるためのパネル開口２５ｈが形成されている。パネル開口２５ｈは例えば円形である。
【００２６】
リアケース開口２３ｈ及びパネル開口２５ｈは、互いに重なる位置に配置されており、リアケース開口２３ｈ及びパネル開口２５ｈにより筐体開口２ｈが構成されている。換言すれば、第１筐体２は、筐体開口２ｈが開口する部分の内側面を構成するリアケース２３と、筐体開口２ｈが開口する部分の外側面を構成する装飾パネル２５とを備えている。
【００２７】
図２に示すメイン表示装置４９は、例えば有機ＥＬディスプレイや液晶表示ディスプレイにより構成されている。メイン表示装置４９は、メイン表示部６を構成し、フロントケース２１の対向面２ａの内側面に対向する表示面４９ａ（図６参照）を有している。なお、図２では、メイン表示装置４９の背面の一部が表示用基板２７の基板開口２７ｈから露出している状態を示している。
【００２８】
表示用基板２７は、例えば樹脂をベースとしたプリント配線板により構成されている。表示用基板２７には、メイン表示装置４９やサブ表示装置２９の動作を制御する制御回路などが設けられている。
【００２９】
サブ表示装置２９は、例えば有機ＥＬディスプレイや液晶表示ディスプレイにより構成されている。サブ表示装置２９は筐体開口２ｈに対向する表示面２９ａを有している。サブ表示装置２９は、例えば薄型直方体状である。表示面２９ａは、例えば矩形である。サブ表示装置２９は、表示用基板２７に設けられた基板開口２７ｈに嵌合挿入され、サブ表示装置２９の背面はメイン表示装置４９の背面に当接する。
【００３０】
図２に示す補強フレーム３１は、例えば樹脂により形成されている。補強フレーム３１は、表示用基板２７や表示面２９ａに対向する板状部３１ａと、板状部３１ａから表示用基板２７側へ突出するリブ３１ｂとを有している。
【００３１】
板状部３１ａは、例えばサブ表示装置２９よりも広い面積を有しており、表示用基板２７の大部分を覆っている。板状部３１ａには、表示面２９ａを筐体開口２ｈ側へ露出させるためのフレーム開口３１ｈが形成されている。フレーム開口３１ｈは、例えば円形である。
【００３２】
リブ３１ｂは表示用基板２７に当接し、表示用基板２７と板状部３１ａとの間に電子部品等を配置可能なスペースを形成しつつ板状部３１ａを支持する（図６参照）。リブ３１ｂは、例えば、サブ表示装置２９の外周を囲むように延びている。
【００３３】
図２に示す両面テープ３７は、例えば、外縁の形状はセンサ基板３９の一部と略同一形状（例えばセンサ基板３９と３辺が一致する矩形）であり、後述する基板開口３９ｈと略同一形状（例えば略円形）のテープ開口３７ｈを有している。両面テープ３７は、例えば、ゴムなどの弾性部材に接着剤が塗布されて構成されている。
【００３４】
図４は、センサ基板３９を示す斜視図である。センサ基板３９は、例えば樹脂をベースとしたプリント配線板により構成されている。センサ基板３９には、表示面２９ａを筐体開口２ｈ側へ露出させるための基板開口３９ｈが形成されている。基板開口３９ｈは、例えば円形である。図３に示すように、基板開口３９ｈは、筐体開口２ｈよりも小径であり、基板開口３９ｈの周辺部はリアケース開口２３ｈから露出する。
【００３５】
図４に示すように、センサ基板３９の筐体開口２ｈに対向する実装面３９ａには、リングキー７を介してユーザの操作を検出する複数のドームスイッチ４５やタッチセンサ電極４７、リングキー７を照明する発光素子５３が設けられている。
【００３６】
具体的には、ドームスイッチ４５は、第１筐体２の長手方向（連結部４側の端部から反対側の端部への方向）において基板開口３９ｈの両側に２つ、第１筐体２の短手方向において基板開口３９ｈの両側に２つ、合計４つ設けられている。発光素子５３は、ドームスイッチ４５間にそれぞれ配され、合計４つ設けられている。タッチセンサ電極４７は、ドームスイッチ４５と発光素子５３の間にそれぞれ１つずつ、合計８つ設けられている。すなわち、ドームスイッチ４５は、基板開口３９ｈの周方向に沿って複数設けられ、タッチセンサ電極４７は、基板開口３９ｈの周方向において複数のドームスイッチ４５間それぞれに設けられている。また、図３に示すように、ドームスイッチ４５、タッチセンサ電極４７、発光素子５３は、実装面３９ａのうち、リアケース開口２３ｈから露出する部分に配置されている。
【００３７】
ドームスイッチ４５は、特に図示しないが、ドーム状の板金からなり、縁部がセンサ基板３９の導電パターンと接続された可動接点と、センサ基板３９のうち可動接点の中央と対向する位置に設けられた固定接点とを有している。ドームスイッチ４５が押圧されると、可動接点が反転してクリック感を生じつつ固定接点に当接する。これによりドームスイッチ４５はオンされる。押圧が解除されると、可動接点がその復元力により固定接点から離れ、ドームスイッチ４５はオフされる。
【００３８】
タッチセンサ電極４７は、例えば静電容量式のタッチセンサ４８（図８参照）を構成する電極である。タッチセンサ電極４７は、特に図示しないが、センサ基板３９に沿って配置される第１電極と、第１電極と誘電体を介して対向配置される第２電極とを有している。ユーザの指がタッチセンサ電極４７に近づくと、ユーザの指がアースとして（又は誘電体として）機能することにより、第１電極と第２電極との間の静電容量が変化する。タッチセンサ４８は、その静電容量の変化を検出することにより、ユーザの操作を検出する。なお、静電容量の変化を検出する回路は、例えばセンサ基板３９の適宜な位置に設けられている。
【００３９】
図５は、キーシート４１、リングキー７、トリムプレート３５を示す斜視図である。
【００４０】
キーシート４１は、例えば弾性を有するシート状部材（弾性シート）により構成されている。弾性シートは、例えば透光性を有するシリコンゴムにより形成されている。キーシート４１は、例えば丸みを有する矩形状に形成されている。キーシート４１にはサブ表示装置２９の表示面２９ａを露出させるためのシート開口４１ｈ（図６も参照）が形成されている。シート開口４１ｈは例えば矩形である。キーシート４１のうち、リングキー７の取付位置よりも外周側には、位置決め孔部４１ａが複数設けられている。位置決め孔部４１ａは、例えば４隅に設けられている。
【００４１】
リングキー７は、例えばＡＢＳ（アクリロニトリル、ブタジエン、スチレン）、ＰＣ（ポリカーボネート）等の樹脂により形成されている。リングキー７は、遮光性の材料により形成されることにより、あるいは、表面に遮光層が設けられることにより、遮光性を有している。リングキー７は、環状の操作部７ａと、操作部７ａの内側に形成された凹部７ｂと、凹部７ｂの底部に形成されたキー開口７ｈとを有している。
【００４２】
操作部７ａは、例えば、平面視において外縁が円形に形成されるとともに、内縁（凹部７ｂ）が円形に形成されている。また、操作部７ａは、第１筐体２の背面２ｂと概ね平行になる頂面７ｄと、頂面７ｄの内周側に設けられ、内側ほど第１筐体２の内部側に位置する傾斜面７ｅとを有している。凹部７ｂは、例えば側面がテーパ状に形成され、底部側ほど縮径している。また、凹部７ｂは、底部が頂面７ｄに平行な平面状に形成されている。キー開口７ｈは、例えばシート開口４１ｈよりも若干小さい矩形に形成されている。
【００４３】
トリムプレート３５は、例えば透光性を有する樹脂、ガラス、セラミックス、単結晶体等により形成されている。トリムプレート３５の形状は、例えば凹部７ｂに嵌合する形状であり、例えば、側面がテーパ状に形成された概ね円盤状である。
【００４４】
以上の構成を有するキーシート４１、リングキー７、トリムプレート３５は、以下のように第１筐体２に取り付けられる。リングキー７は、キーシート４１の装飾パネル２５側の面に、キー開口７ｈとシート開口４１ｈとが重なるように、接着剤や両面テープなどの固定手段により固定される。なお、この際、リングキー７の外縁からリングキー７とキーシート４１との隙間を介してキー開口７ｈ側へ水や埃が浸入しないように、キー開口７ｈの全周に亘ってリングキー７とキーシート４１とが密着されることが好ましい。
【００４５】
トリムプレート３５は、リングキー７の凹部７ｂに嵌合され、凹部７ｂの底面及び／又は側面と接着剤や両面テープなどの固定手段により固定される。なお、この際、トリムプレート３５とリングキー７との隙間から第１筐体２内部へ水や埃が侵入しないように、キー開口７ｈの全周に亘ってトリムプレート３５とリングキー７とが密着されることが好ましい。換言すれば、キー開口７ｈがトリムプレート３５により密閉されることが好ましい。
【００４６】
なお、トリムプレート３５のうち、キー開口７ｈと重なる部分は、表示面２９ａを第１筐体２外部へ露出させる透光部５９ａとして機能する。トリムプレート３５及びリングキー７の固定と、リングキー７及びキーシート４１の固定は、いずれが先に行われてもよい。
【００４７】
キーシート４１は、位置決め孔部４１ａにリアケース２３の位置決め突部２３ｃ（図３参照）が挿入されて位置決めされつつ、リアケース２３のシート用凹部２３ｂ（図３参照）内に配置される。装飾パネル２５は、リアケース２３のパネル用凹部２３ａ（図３参照）に嵌合されて位置決めされるとともに、接着剤によりリアケース２３に対して固定される。キーシート４１は、リアケース２３と装飾パネル２５とにより挟持される。これにより、リングキー７及びトリムプレート３５は、ケース開口２ｈの入出方向へ揺動可能に第１筐体２に保持されるとともにケース開口２ｈから露出する。
【００４８】
図６は、図１のＶＩ−ＶＩ線矢視方向の断面図である。
【００４９】
メイン表示装置４９の表示面４９ａ側（図６の紙面下方側）には、表示面４９ａを保護するための透光性を有するトリムプレート６１が配置されている。メイン表示装置４９の背面側（図６の紙面上方側）には、上述のように、表示用基板２７及びサブ表示装置２９が配置されている。
【００５０】
サブ表示装置２９の表示面２９ａ上には、上述のように、補強フレーム３１、両面テープ３７、センサ基板３９、リアケース２３、キーシート４１、リングキー７、トリムプレート３５、装飾パネル２５が積層的に配置されている。ただし、厳密には、各部材の一部は並列に配置されている。
【００５１】
表示面２９ａは、これらの各部材に形成されたフレーム開口３１ｈ、テープ開口３７ｈ、基板開口３９ｈ、リアケース開口２３ｈ（筐体開口２ｈの一部）、シート開口４１ｈ、キー開口７ｈ、パネル開口２５ｈ（筐体開口２ｈの一部）と、トリムプレート３５を介して第１筐体２の背面側に露出する。
【００５２】
キーシート４１の外縁側には、リアケース２３のシート用凹部２３ｂの底部と装飾パネル２５との間に挟持される被挟持部４１ｃが形成されている。被挟持部４１ｃは、リングキー７の外縁から延出し、リアケース開口２３ｈ及びパネル開口２５ｈ（筐体開口２ｈ）の外周に亘って挟持されている。換言すれば、被挟持部４１ｃは、筐体開口２ｈを囲むように環状に形成されている。被挟持部４１ｃは、例えば、装飾パネル２５側に突出するように肉厚に形成されている。被挟持部４１ｃの厚さは例えば０．２ｍｍである。なお、図では、被挟持部４１ｃは図示の都合上装飾パネル２５と離間しているが、実際には装飾パネル２５と密着する。
【００５３】
図７は、図８の領域ＶＩＩを拡大して示す断面図である。キーシート４１の内縁側には、サブ表示装置２９の表示面２９ａに当接する当接部４１ｄが形成されている。当接部４１ｄは、シート開口４１ｈの周囲において表示面２９ａに当接している。具体的には、リングキー７と表示面２９ａに挟持されている。当接部４１ｄは、例えば、表示面２９ａ側に突出するように肉厚に形成されている。また、当接部４１ｄは、例えば、表示面２９ａ側への突出量よりも小さい突出量でリングキー７側へ突出するように肉厚に形成されている。なお、当接部４１ｄは、シート開口４１ｈの縁部を構成している。
【００５４】
図６に示すように、キーシート４１は、被挟持部４１ｃと当接部４１ｄとの間に、ドームスイッチ４５、タッチセンサ電極４７（図６では不図示）及び発光素子５３（図６では不図示）を覆う被覆部４１ｅを有している。被覆部４１ｅは、被挟持部４１ｃとセンサ基板３９との間のリアケース２３がスペーサとして機能することにより、また、リングキー７に貼り付けられていることによりセンサ基板３９の実装面３９ａから離間されている。
【００５５】
被覆部４１ｅのうち、ドームスイッチ４５に対向する位置には、ドームスイッチ４５の押圧を容易にするための押し子４１ｂが形成されている。押し子４１ｂは、ドームスイッチ４５側に突出して肉厚に形成されている。ドームスイッチ４５及び押し子４１ｂは、リングキー７の操作部７ａの外縁（パネル開口２５ｈの縁部）と重なる位置に配置されている。すなわち、リングキー７のストロークが最も大きくなる位置に配置されている。なお、図５を参照して説明したように、操作部７ａには、頂面７ｄと傾斜面７ｅとが形成されているが、操作部７ａ表面において第１筐体２の長手方向に延びる溝のために、図６では、頂面７ｄ及び傾斜面７ｅは図示されていない。また、タッチセンサ電極４７の配置位置には押し子４１ｂは形成されていない。
【００５６】
図５及び図６に示すように、リングキー７の外周側には、半径方向に突出するフランジ７ｆが形成されている。図６に示すように、フランジ７ｆは、装飾パネル２５のパネル開口２５ｈの縁部にパネル内部側から係合し、リングキー７のパネル開口２５ｈからの抜けを防止する抜け止め部として機能する。フランジ７ｆは、例えば、押し子４１ｂ（ドームスイッチ４５）の配置位置と同様に、４方に配置されている。
【００５７】
図８は、携帯電話機１の信号処理系の構成の一例を示すブロック図である。
【００５８】
携帯電話機１は、制御部１０１、通信処理部１０４、音響処理部１０６及び画像処理部１０３を備えている。
【００５９】
制御部１０１は、操作部１１１等の各種手段からの信号が入力され、その信号に基づいて所定の演算を行い、画像処理部１０３、通信処理部１０４、音響処理部１０６、撮像部９等の各種手段の動作を制御するための制御信号等の各種の信号を各種手段に出力する。
【００６０】
通信処理部１０４は、高周波回路を含んで構成され、電波を利用した無線通信を行うために、制御部１０１で処理された音声データ、画像データ等の各種データを変調して、アンテナ１０５を介して送信する。また、通信処理部１０４は、アンテナ１０５を介して受信した信号を復調して制御部１０１に出力する。
【００６１】
音響処理部１０６は、制御部１０１からの音響データを音響信号に変換して通話用のスピーカ１０７、報知や音楽再生用のスピーカ１０９に出力する。音響処理部１０６は、マイクロフォン１０８からの音響信号を音響データに変換して制御部１０１に出力する。
【００６２】
画像処理部１０３は、制御部１０１からの画像データを画像信号に変換してメイン表示装置４９、サブ表示装置２９に出力する。また、撮像部９から出力される撮像信号（画像データ）を所定のフォーマットの画像データに変換して制御部１０１へ出力する。
【００６３】
操作部１１１は、ドームスイッチ４５及びタッチセンサ電極４７を含んで構成されている。ドームスイッチ４５は、上述のように、リングキー７を介して押圧操作がなされると、可動接点が固定接点に当接してオン信号を出力する。タッチセンサ電極４７を含むタッチセンサ４８は、上述のように、リングキー７にユーザの指が近接又は接触することによる静電容量の変化に応じた信号を出力する。なお、当該信号は、静電容量が所定の閾値を超えたときにオン信号として出力されるものでもよいし、静電容量の大きさに比例した連続的又は段階的なレベルを有する信号であってもよい。
【００６４】
ドームスイッチ４５及びタッチセンサ電極４７は、リングキー７に沿って円周上に複数配置されていることから、制御部１０１は、ドームスイッチ４５及びタッチセンサ電極４７からの信号に基づいて、ユーザのリングキー７上の指の位置を特定することができる。
【００６５】
例えば、４方（例えば上下左右）に配置されたドームスイッチ４５のいずれか一つからオン信号が出力されていれば、その４方のうち一の方向の位置が押し込み操作されていることが特定される。４方（例えば上下左右）に配置されたドームスイッチ４５のうち隣接する二つからオン信号が出力されていれば、前記４方の間の４方向（斜め方向）のうち一の方向の位置が押し込み操作されていることが特定される。
【００６６】
同様に、例えば、４方（例えば上下左右）に配置されたタッチセンサ電極４７のいずれか一つからオン信号が出力されていれば、その４方のうち一の方向の位置にユーザの指が接触していることが特定される。４方（例えば上下左右）に配置されたタッチセンサ電極４７のうち隣接する二つからオン信号が出力されていれば、前記４方の間の４方向（斜め方向）のうち一の方向の位置にユーザの指が接触していることが特定される。タッチセンサ電極４７が８方に配置されている場合も同様である。
【００６７】
制御部１０１は、さらに、特定したユーザの指の位置の履歴を記録することにより、ユーザの指の位置の時系列変化を特定することができる。例えば、リングキー７に沿って指を滑らせて指を連続移動させる回転操作、すなわち、リングキー７をなぞる操作を特定できる。これにより、例えば、指をリングキー７に沿って連続移動させた周回数や角度に応じてスピーカ１０９から出力する音量を増減したり、サブ表示装置２９の輝度を増減したり、サブ表示装置２９の表示内容を所定のサイクルで変化させることができる。
【００６８】
なお、制御部１０１は、指がリングキー７に接触しているが押し込み操作がなされていない接触のみの操作と、押し込み操作（当然接触もしている）とを区別するように、タッチセンサ電極４７及びドームスイッチ４５からの信号を処理する。
【００６９】
すなわち、制御部１０１は、タッチセンサ電極４７からのみオン信号が出力され、ドームスイッチ４５からオン信号が出力されていないときは、接触のみの操作と判断し、ドームスイッチ４５（及びタッチセンサ電極４７）からオン信号が出力されているときは、押し込み操作がなされていると判断することにより、両操作に対応する制御信号を互いに異ならせることが可能である。
【００７０】
以上の実施形態によれば、携帯電話機１は、筐体開口２ｈを有する第１筐体２と、第１筐体２内に設けられ、筐体開口２ｈに対向する表示面２９ａを有するサブ表示装置２９と、筐体開口２ｈと表示面２９ａとの間に配置され、表示面２９ａに対向する基板開口３９ａが形成されたセンサ基板３９と、センサ基板３９のうち筐体開口２ｈに対向する実装面３９ａに設けられたタッチセンサ電極４７と、筐体開口２ｈに配置され、表示面２９ａに対向する透光部５９ａ、及び、透光部５９ａの外周に設けられ、タッチセンサ電極４７に対向する環状の操作部７ａを有する一体的操作部材５９とを有していることから、リングキー７とサブ表示部５との一体感があるデザインが実現される。しかも、操作部７ａは透光部５９ａの外周に設けられていることから、タッチパネルのようにユーザの指により透光部が汚れて表示装置の視認性が低下することがない。
【００７１】
本実施形態とは異なり、例えば、トリムプレートをセンサ基板や補強フレームに固定した場合には、トリムプレートとリングキーとが相対移動することから、リングキーとトリムプレートとの間にリングキーを稼動させるためのクリアランスを設ける必要がある。しかし、本実施形態では、トリムプレート３５とリングキー７とが互いに固定されていることから、リングキーとトリムプレートとの間にクリアランスを設ける必要が無く、一体感がより向上する。
【００７２】
一体的操作部材５９は、表示面２９ａに対向するキー開口７ｈが形成された遮光性のリングキー７と、キー開口７ｈを塞ぐようにリングキー７に固定された透光性のトリムプレート３５とを有していることから、透光部５９ａ及び操作部７ａを簡単に構成することができる。
【００７３】
携帯電話機１は、リングキー７の第１筐体２内部側の面に固定され、表示面２９ａに対向するシート開口４１ｈが形成されたキーシート４１を有し、第１筐体２は、筐体開口２ｈが開口する部分の内側面を構成するリアケース２３と、筐体開口２ｈが開口する部分の外側面を構成する装飾パネル２５とを有し、キーシート４１は、一体的操作部材５９の外縁から延出し、筐体開口２ｈの周囲においてリアケース２３と装飾パネル２５とに挟持される環状の被挟持部４１ｃを有することから、リングキー７の外縁と、筐体開口２ｈとの隙間から侵入する水や埃はキーシート４１により遮断される。すなわち、携帯電話機１の防水性、防塵性が向上する。
【００７４】
キーシート４１は、シート開口４１ｈの周囲において表示面２９ａに当接する環状の当接部４１ｄを有していることから、キーシート４１よりも第１筐体２内部側に存在する埃等が表示面２９ａ上に侵入することが防止され、ひいては、表示面２９ａの視認性低下が防止される。しかも、当接部４１ｄは、リングキー７の第１筐体２内部側の面に設けられていることから、リングキー７が押下されたときに、リングキー７の外縁の上下動に関する支点として機能可能であり、換言すれば、リングキー７の押下位置に対してシート開口４１ｈを挟んで反対側となる位置が押し下げられることを防止可能であり、リングキー７の操作性を向上させることができる。さらに、キーシート４１が表示面２９ａ上への埃侵入の防止部材に兼用されていることから、部材点数の削減が図られる。
【００７５】
センサ基板３９は、リングキー７に対向する面にドームスイッチ４５を備え、キーシート４１は、リングキー７とドームスイッチ４５との間に突状の押し子４１ｂを有することから、リングキー７の操作にドームスイッチ４５によるクリック感を付与することができるとともに、キーシート４１は、上述のようなリングキー７を第１筐体２に対して保持する機能、リングキー７の外縁の防水機能等に加え、ドームスイッチ４５の押圧操作を容易化する機能を有することになり、キーシート４１の一層の高機能化が図られ、部材点数が削減される。
【００７６】
複数のドームスイッチ４５の間にタッチセンサ電極４７が設けられていることから、タッチセンサ電極４７上においてリングキー７に対してユーザが指をなぞるとドームスイッチ４５によるクリック感が得られることになり、リングキー７の操作性が向上する。
【００７７】
特に、複数のドームスイッチ４５及び複数のタッチセンサ電極４７が基板開口３９ｈを囲むように配置されている場合には、リングキー７に沿って指を回転させる操作においてクリック感あるなぞる操作が可能になり、操作性が向上する。
【００７８】
なお、以上の実施形態において、携帯電話機１は本発明の電子機器の一例であり、第１筐体２は本発明のケースの一例であり、サブ表示装置２９は本発明の表示装置の一例であり、センサ基板３９は本発明の回路基板の一例であり、基板開口３９ｈは本発明の空所の一例であり、一体的操作部材５９は本発明の操作部材の一例であり、操作部７ａ若しくはリングキー７は本発明の操作部の一例であり、リングキー７は本発明の遮光部材の一例であり、キー開口７ｈは本発明の操作部材開口の一例であり、トリムプレート３５は本発明の透光部材の一例であり、キーシート４１は本発明のシート部材の一例であり、リアケース２３は本発明の第１ケース部材の一例であり、装飾パネル２５は本発明の第２ケース部材の一例であり、ドームスイッチ４５は本発明のタクトスイッチの一例である。
【００７９】
本発明は以上の実施形態に限定されず、種々の態様で実施してよい。
【００８０】
本発明の電子機器は、携帯電話機に限定されない。例えば、デジタルカメラ、ノートパソコン、ＰＤＡ（Ｐｅｒｓｏｎａｌ  Ｄｉｇｉｔａｌ  Ａｓｓｉｓｔａｎｔ）、プリンタであってもよい。
【００８１】
操作部材は、透光部と、その外周側に設けられた操作部とを有していればよく、操作部材開口（キー開口７ｈ）を有する遮光部材（リングキー７）と透光部材（トリムプレート３５）とから構成されるものに限定されない。例えば、透光性の樹脂の一色成形により一体的操作部材５９と同様の形状を有する部材を形成し、その表面に透光部５９ａに相当する面積を残して遮光膜を形成することにより、透光部と操作部とを有する操作部材を構成してもよい。また、操作部は、センサ基板に対向していればよく、透光性を有していてもよい。例えば、センサ基板に設けられた発光素子の光を透過可能であってもよい。
【００８２】
操作部材を遮光部材及び透光部材により形成する場合、透光部材と操作部材との固定は、適宜な方法により行ってよく、接着剤や両面テープによる固定に限定されない。例えば、２色成形やインモールド成形により、透光部材と操作部材とが互いに固定されてもよい。また、透光部材は、遮光部材の操作部材開口を塞ぐように操作部材に固定されれば、操作部材に対してケース外部側に固定されてもよいし、ケース内部側に固定されてもよい。
【００８３】
操作部材、透光部、操作部、遮光部材、透光部材、操作部材開口の形状は適宜に設定されてよい。例えば、操作部材の外縁（遮光部材の外縁）、操作部の外縁、透光部材の外縁は円形に限定されず、楕円や多角形であってもよいし、透光部の外縁（操作部材開口）は矩形に限定されず、円形、楕円、矩形以外の多角形であってもよい。
【００８４】
タッチセンサ電極やタッチセンサ電極を含むタッチセンサは、指などの人体の一部や電子ペンなどの操作用部材の近接又は接触を検出することができるものであればよい。例えば、電磁誘導式のものであってもよい。
【００８５】
タクトスイッチは、押し込み操作に伴ってクリック感を生じさせるものであればよく、ドームスイッチに限定されない。タクトスイッチは、可動接点に金属材料を使用したメカニカル接点タイプのものであってもよいし、導電ゴムを使用したエラスティック接点タイプのものであってもよい。また、ヒステリシスなフィーリングを有するものであってもよい。
【００８６】
タッチセンサ電極及びタクトスイッチは、透光部を囲むように配置されるものに限定されない。例えば、一つだけであってもよいし、透光部を挟んで２つ設けられてもよいし、矩形の透光部の一辺に沿って複数設けられてもよい。センサ基板に設けられる、表示面を露出させるための空所も、タッチセンサ電極やタクトスイッチを全周に配置可能な開口である必要は無く、例えば、切り欠き部であってもよいし、センサ基板の縁部外周側の空所であってもよい。
【００８７】
本発明において、タッチセンサ電極及びタクトスイッチは、双方が操作部材に対向して設けられている必要はない。タッチセンサ電極及びタクトスイッチの少なくとも一方が設けられていればよい。
【００８８】
シート部材（キーシート４１）は、実施形態のように第１ケース部材（リアケース２３）と第２ケース部材（装飾パネル２５）とに直接的に挟持されてもよいし、他の部材を介して間接的に挟持されてもよい。例えば、シート部材とカバー部材との間に、シート部材及びカバー部材に密着する防水部材を設け、シート部材とケースとの間に、シート部材及びケースに密着する防水部材を設けてもよい。この場合、シート部材と、カバー部材等との密着性が向上し、より防水効果が高くなる。防水部材は、例えばゴムや両面テープなどの弾性を有するシートにより構成される。
【図面の簡単な説明】
【００８９】
【図１】本発明の実施形態に係る携帯電話機の外観を示す斜視図。
【図２】図１の携帯電話機の第１筐体の分解斜視図。
【図３】図２とは異なる部分を分解した図１の携帯電話機の第１筐体の分解斜視図。
【図４】図２の第１筐体におけるセンサ基板の斜視図。
【図５】図３の第１筐体における操作部材の分解斜視図。
【図６】図１のＶＩ−ＶＩ線矢視方向の端面図。
【図７】図６の領域ＶＩＩの拡大図。
【図８】図１の携帯電話機の信号処理系の構成を示すブロック図。
【符号の説明】
【００９０】
１…携帯電話機（電子機器）、２…第１筐体（ケース）、２ｈ…筐体開口（ケース開口）、２９…サブ表示装置（表示装置）、２９ａ…表示面、３９…センサ基板（回路基板）、４７…タッチセンサ電極、５９ａ…透光部、７ａ…操作部。
【図１】
2008136046.tif 000003
【図２】
2008136046.tif 000004
【図３】
2008136046.tif 000005
【図４】
2008136046.tif 000006
【図５】
2008136046.tif 000007
【図６】
2008136046.tif 000008
【図７】
2008136046.tif 000009
【図８】
2008136046.tif 000010